(57)【要約】【課題】本考案は、屋根に積もった雪を雪止めの中のヒーターで回りの氷雪を融かし、雪止め本体を軒下に格納し、屋根全体に配したヒーターで滑り落とす雪下ろし機を提供する。【解決手段】古い雪止めを取り払い軒先３０〜６０ｃｍに雪止めのストッパー穴を設ける。前記ストッパー穴から雪止めのストッパー本体１を出し、雪下ろしの時にストッパー本体１を引き下げ、雪を滑り落とす。屋根上の雪の滑り止めの爪となるストッパー本体１は、縦１２ｃｍ、横８ｃｍ、厚さ１．５ｃｍで中に格子状の補強材２とヒーター線３が組み込まれ、前記ヒーター線３の加熱によりストッパー本体１の周囲の氷雪を融かす。【選択図】図１
0003178609.tif 000002
【実用新案登録請求の範囲】
【請求項１】
屋根の軒先に桁方向に１直線に並べた複数個のストッパー穴と、該ストッパー穴から出没可能とし、屋根上の雪の滑り止めの爪となるストッパー本体と、該ストッパー本体をストッパーアームにより前記ストッパー穴から出没自在に複数個取り付けた可動域限定体と、屋根裏の傾斜面に吊り下げ、前記可動域限定体を収納し、上下動を制限する３点可動垂直維持体と、前記可動域限定体を階段状に屋根傾斜に沿って固定したステンレス製アームと、該ステンレス製アームを下方移動させる引き下ろしロープを設けることを特徴とする雪下ろし機。
【請求項２】
前記ストッパー穴は、ストッパー穴のサイズと同じストッパーガイドを鋳物で作り屋根の斜度に合わせたゴムパッキンを底に敷き４枚の刃を束ねたノミの一撃で穴を開けられたことを特徴とする請求項１記載の雪下ろし機。
【請求項３】
前記ストッパー本体は、縦１２ｃｍ、横８ｃｍ、厚さ１．５ｃｍで中に格子状の補強材とヒーター線が組み込まれ、前記ヒーター線の加熱によりストッパー本体の周囲の氷を融かすことを特徴とする請求項１記載の雪下ろし機。
【請求項４】
前記可動域限定体は、アルミ板をコの字形に２度折り曲げて形成し、コの字形の中にアルミ棒を通し、該アルミ棒に前記ストッパーアームを取り付けたことを特徴とする請求項１記載の雪下ろし機。
【請求項５】
前記ステンレス製アームは、２本のアルミ棒を通す可動域限定体を連結する３本のステンレス製アームを設け、該ステンレス製アームの中心に引き下ろしロープの取り付くカギを設けると共にストッパー本体を屋根上に引き上げるスプリングを設けることを特徴とする請求項１記載の雪下ろし機。
【請求項６】
前記３点可動垂直維持体は、アルミ製で屋根裏の傾斜面に３点の可動点で吊り下げ、前記可動域限定体の上下動を制限することを特徴とする請求項１記載の雪下ろし機。
【考案の詳細な説明】
【技術分野】
【０００１】
本考案は、屋根に積もった雪を雪止めの回りの氷雪を融かし屋根全体に配したヒーターで滑り落とす雪下ろし機に関する。
【背景技術】
【０００２】
従来、ヒーターで屋根の雪を融かす方法や勾配を急にして雪が積もらないようにしたり、いろいろ工夫はしているが省エネや安全の面を考えると雪止めの必要性は大きなものがある。しかしそのために屋根に登って人力で雪下ろしをする必要がある。毎年２ｍを越える豪雪地での雪下ろしは一冬で３回から４回は普通です。この雪下ろしは安全面や費用を考えると大変なことである。
【０００３】
屋根上の雪止めに融雪加温パイプを桁方向に装着して、積雪した雪を融解排雪する長尺融雪加温パイプ（特許文献1を参照）や傾斜屋根の軒寄りに雪止め体を設け、該雪止め体に融雪用熱源を設け、さらに前記雪止め体の長さ方向に間隔をおいて前記雪止め体の長さ方向と交叉して雪切断板を複数立設した屋根の雪降ろし装置（特許文献2を参照）が知られている。
いつもは落雪被害防止の為にある雪の滑り止めの雪止めが雪下ろしの時には邪魔者になる。もっと楽に滑り落とすことが出来ないかと考えたのがこの考案のきっかけである。
【先行技術文献】
【特許文献】
【０００４】
【特許文献１】特開２００２−３３９５２９号公報
【特許文献２】実開平１−１２２１５２号公報
【考案の概要】
【考案が解決しようとする課題】
【０００５】
本考案は、屋根に積もった雪を雪止めの中のヒーターで回りの氷雪を融かし、雪止め本体を軒下に格納し、屋根全体に配したヒーターで滑り落とす雪下ろし機を提供することを目的とする。
【課題を解決するための手段】
【０００６】
本考案の雪下ろし機は、屋根の軒先に桁方向に１直線に並べた複数個のストッパー穴と、該ストッパー穴から出没可能とし、屋根上の雪の滑り止めの爪となるストッパー本体と、該ストッパー本体をストッパーアームにより前記ストッパー穴から出没自在に複数個取り付けた可動域限定体と、屋根裏の傾斜面に吊り下げ、前記可動域限定体を収納し、上下動を制限する３点可動垂直維持体と、前記可動域限定体を階段状に屋根傾斜に沿って固定したステンレス製アームと、該ステンレス製アームを下方移動させる引き下ろしロープを設けるものである。
【考案の効果】
【０００７】
本考案の雪下ろし機は、屋根に積もった雪を雪止めの中のヒーターで回りの氷雪を融かし、雪止め本体を軒下に格納し、屋根全体に配したヒーターで滑り落とすため、屋根に登って人力で雪下ろしをしなくても済み、積雪時に人為的に雪を滑り落とすことができるので、安全面や費用を考えると大変な効果がある。
【図面の簡単な説明】
【０００８】
【図１】ストッパー本体の斜視図である。
【図２】ストッパーアームの斜視図である。
【図３】アルミ棒とストッパーアームの取り付けを示す説明図である。
【図４】ダブルストッパーの説明図である。
【図５】３点可動垂直維持体の説明図である。
【図６】（ａ）アンカーボルトを地面に突き刺した状態を示す、（ｂ）アンカーボルトを示す、（ｃ）ミニロープを示す説明図である。
【図７】ヒーターの配線の説明図である。
【図８】ガイドの（ａ）正面図、（ｂ）平面図である。
【図９】ノミの（ａ）正面図、（ｂ）平面図である。
【図１０】角度調整用ゴム敷きの説明図である。
【図１１】ストッパー穴ガイドの斜視図である。
【図１２】ゴムパッキンの（ａ）正面図、（ｂ）平面図である。
【考案を実施するための形態】
【０００９】
本考案の雪下ろし機の一実施例を添付図面に基づいて、以下に説明する。
図１の斜視図に示すように、屋根上の雪の滑り止めの爪となるストッパー本体１は、縦１２ｃｍ、横８ｃｍ、厚さ１．５ｃｍで中に格子状の補強材２とヒーター線３が組み込まれ、前記ヒーター線３の加熱によりストッパー本体１の周囲の氷雪を融かす。図上斜線で示す補強材２は鋳物でもアルミでも良く前記ヒーター線３の通る道は開けておき、例えば３〜４ｍｍ厚のアルミ板をプレスし、中に補強材２とヒーター線３が入り、プレス側の縁に端から１ｍｍに１ｍｍの溝を作って裏蓋（図示せず）をすべり込ませる。図上正面が谷側になる。裏蓋の厚さは２ｍｍである。裏蓋（図示せず）の止めは後述するストッパーアーム６の中央のボルトで一緒に止める。
前記ストッパー本体１の下辺には上下連動させる為のストッパーアーム６を取り付けるための３つの取付穴４と２つのヒーター用穴５をプレス前に開けておく。
【００１０】
図２の斜視図に示すように、前述したストッパーアーム６は、Ｔ字形のステンレス製で取付部分７に３個のねじ穴８と２つの電線用穴９を開けておく。前記ストッパーアーム６は、たる木の大きさに対応し長短２種用意しておく。前記ストッパーアーム６は、前記ストッパー本体１の下部の取付穴４に前記ねじ穴８を一致させてボルトで留め、２つのヒーター用穴５と電線用穴９も一致させておく。このようにして前記ストッパーアーム６で前記ストッパー本体１の下部に取り付けておき、前記ヒーター線３から電気配線をストッパーアーム６の長さプラス３ｃｍにしておく。
【００１１】
図３の説明図に示すように、可動域限定体１１は、２〜３ｍ×巾９ｃｍのアルミ板をコの字形に２度折り曲げて形成し、コの字形の中に前記アルミ棒１０を通す。
前記アルミ棒１０に前記ストッパーアーム６を取り付け、前記ストッパー本体１を８〜９ｃｍ引き下げるために可動域限定体１１を設ける。
前記ストッパーアーム６と前記アルミ棒１０とは工事現場で取付け配線を結ぶ。
【００１２】
図４の説明図に示すように、２列一直線の雪止め（以下、ダブルストッパーという。）には、２本のアルミ棒１０を通す可動域限定体１１を連結する３本のステンレス製アーム１２が必要である。前記可動域限定体１１の取付け部位は、屋根Ｍ裏の傾斜で桁方向の固定角度を調整するため３点の可動点を設け垂直を保つようにする。前記３本のステンレス製アーム１２の両端と真ん中、この真ん中のステンレス製アーム１２の中心に引き下ろしロープ（図示せず）の取り付くカギ１３が付く。前記ステンレス製アーム１２は強度を出すため端を上向きに折る。前記可動域限定体１１との連結のためのネジ穴は６個設け、またストッパー本体１を屋根Ｍ上に引き上げるスプリング１４もこのステンレス製アーム１２に付く。
ダブルストッパーの連結部は、ステンレス板で２５ｃｍ程度でのたわみを少なく押さえるため板の厚さと端を２〜３ｍｍ折り曲げａ部分でビス止めする。ダブルストッパーの連結部で前記スプリング１４を屋根Ｍ裏のたる木に取り付ける。
【００１３】
図５の説明図に示すように、３点可動垂直維持体１５は、アルミ製で屋根Ｍ裏の傾斜面に３点の可動点Ａ，Ｂ，Ｃで吊り下げ、前記可動域限定体１１の上下動を制限する。すなわち図３のａ位置又はｂ位置に３点可動垂直維持体１５を通し、前記可動域限定体１１の上下動を制限して、前記ストッパー本体１の上下動限定器となる。図５では前記可動域限定体１１が引き下げロープ（図示せず）により強制的に引き下げられた状態又は前記ステンレス製アーム１２のスプリング１４を外された状態である。
【００１４】
図６の説明図に示すように、アンカーボルト１６は、上部に細いロープが通る穴１７の開いた３０ｃｍ程度のプラスチック製の物で良く、アンカーボルト１６で予め軒下に３ｍに１本ずつ埋めて置く。降雪時に１．５ｍの端にリング１８の付いたミニロープ１９を結んで置く。
引き下げロープ（図示せず）を固定するためのアンカーボルト１６には、それに結ぶミニロープ１９とリング１８を備え、雪国では積雪のため地面から雪面まで高さがあり使い勝手をよくするため用意する。
【００１５】
引き下げロープ（図示せず）は前記リング１８の所でリングより少し大きいバネ式の噛み込みストッパー（図示せず）で固定する。軒下の前記ミニロープ１９は雪融けとともに外し洗って次の冬に備える。
先端がリング状の１０ｍの引き下げロープ（図示せず）２本で１階も２階もすべて使い廻す。引き下げロープ（図示せず）が下りる位置に１階の場合アンカーボルト１６を埋め地上１ｍ位まで迎えのミニロープ１９を出し、先端にアルミのリング１８を取り付ける。このリング１８を通した引き下げロープ（図示せず）を引き下げステンレス製アーム１２のカギ１３に引き掛け、ストッパー本体１を下げる。
【００１６】
図７の説明図に示すように、屋根Ｍ上のヒーターの配線は、スイッチボックス２０にＡＢ２つのスイッチを設け、Ａスイッチはストッパー本体１の爪の中と軒先１回線だけ、Ｂスイッチは屋根の大きさにより３〜４回線と分けて使う。図７では片側２ブロックですが大きな屋根の場合３〜４ブロックになる時もある。
ストッパー本体１内のヒーター線３と軒先１回線のヒーターは同一スイッチＡとし、屋根Ｍ上の数回線のヒーターとは区別する。雪は軒先の方が上の方より数倍熱くまた上からの雪の重さをストッパー本体１に掛けないため時差を設ける。気温にも依りますが４〜５分でストッパー本体１が引き抜け、その時軒先の雪が落ちれば良く、落ちなくてもＢスイッチを入れ数分で滑り落とせる。
【００１７】
本考案の雪下ろし機は、屋根Ｍの軒先に８５ｍｍ×２０mmのストッパー穴２４を桁方向に２列１直線に並べる。
古い雪止めを取り除き軒下のカバーを外し軒下から外壁までの長さとたる木の入り方、太さを調べる。それから屋根Ｍ上からトタン板の折り入み状態を確認し、たる木、折り入みに触れないライン、ポイントを決定します。
【００１８】
勾配が２０°を越えると２ラインの雪止めが必要になる。２０ｃｍから３０ｃｍずらしダブルで４５ｃｍに１個ずつと軒先から３０ｃｍ位に雪止めのストッパー本体１が出入りするストッパー穴２４を開け、軒下からストッパー穴２４を介して雪止めのストッパー本体１を出す。
【００１９】
最大６０℃のヒーターを１ｍ間隔で配し０．２〜０．３ｍｍのアルミ板で屋根を覆い熱伝導の良さで氷雪を融かしストッパー本体１を下げ、雪を滑り落とす。
【００２０】
図８の（ａ）正面図、（ｂ）平面図に示すように、前記ストッパー穴２４のサイズと同じストッパーガイド２１を鋳物で作り屋根の斜度に合わせたゴムパッキン２２を底に敷き４枚の刃を束ねたノミ２３の一撃で穴を開ける。前記ストッパーガイド２１は垂直に対し１２度傾いているがゴムパッキン２２の上下の厚さが斜度を調整する。刃は取り外して研げる。
屋根Ｍの傾斜面に対し垂直に４枚の刃を打ち下ろす。この４枚を一つの刃にまとめ上げ多様な斜度に適応させたゴム製すべり止め鋳物で出来たノミ２３のストッパーガイド２１は１２〜１８度の斜度を自身持っているが調整はゴムパッキン２２がする。
【００２１】
前記ストッパーガイド２１は、傾斜面に対し垂直にノミ２３を打ち入れるガイドである。（ａ）正面図の斜線部はゴムパッキン２２で中心部ＰからＥ、Ｆは同じ長さでＥとＦを入れ替えることが出来る。前記ストッパーガイド２１の本体は鋳物で空洞部が屋根Ｍに開けるストッパー穴２４の大きさである。
【００２２】
図９の（ａ）正面及び側面図、（ｂ）平面図に示すように、ノミ２３はノミの刃を正面と横から見た正面及び側面図で谷側の刃が山側の刃より１ｃｍ長いほうが傾斜を考えればベストで、４枚の刃をひとつにまとめてＴ斜線部をボルトで締める。４枚の刃は上から６ｃｍは密着している。（ａ）正面及び側面図で、Ｒ1Ｓ1は正面図、Ｒ2Ｓ2は横から見た側面図である。
（ｂ）平面図に示すように、４枚の刃をまとめるのは６本のボルトとハンマーで打たれる帽子部分で側面の小さい刃は上から６ｃｍは３角形をしており、山側谷側を正しく装着し帽子の外からボルトを締める。巾広の刃は４カ所貫通しており帽子の外から通しボルトとナットで止める。上の穴から３ｃｍ下に２カ所ボルトを通しこれも止める。シリンダー内に触れぬようあらかじめボルト、ナットの納まる場を削っておきます。
図１０の説明図に示すように、合体型ノミ２３のガイドの角度調整用ゴム敷き２５はａ、ｂ逆転させて使え、ガイド自体の角度にプラス、マイナスでき、ａ部分の厚さを３段階用意して置き、４〜５ｍｍのゴム板で微調整する。穴開けガイドのゴムぞうりａの面の厚さで角度調整します。
【００２３】
図１１の斜視図に示すように、屋根Ｍにアルミ板を張った後その部分を切り取り８５×２０×５０ｍｍ、厚さ１ｍｍのストッパー穴２４を開け、前記ストッパー穴２４にストッパー穴ガイド２６を取り付ける。屋根上４カ所下に８カ所切り込みを入れておき、下の切り込みにはビス止め用の穴２７を開けておく。
【００２４】
前記ストッパー穴ガイド２６はストッパーガイド２１で開けたストッパー穴２４の切り口の保護とストッパー本体１の上下をスムースに行うため、アルミの四角なキャラメルの箱の様なものでストッパー本体１の大きさは決まっているので作り置きできる。ただし屋根Ｍの斜度が決まってから谷側の切り込みと角度付けをし、発送する。４カ所の切り込みとビス穴を前もって付けておく。前記ストッパー穴ガイド２６でこの中をストッパー本体１が上下する。山側と谷側で勾配の強さで長さも違うのでメーカーでは谷側を固定せずユーザーの斜度が決まってから打ち出す。
【００２５】
図１２の（ａ）平面図、（ｂ）正面図に示すように、雨水の浸入を防ぐゴムパッキン２８はストッパー穴ガイド２６の内径に合わせ１ｃｍ食い込ませ、耳の部分は５ｍｍ程度で良い。春になりストッパー本体１を引っ込ませた後、前記ストッパー穴２４を塞ぐゴムパッキン２８である。
【００２６】
次に、本考案の雪下ろし機の操作動作を添付図面に基づいて、以下に説明する。
図７に示すように、トタン屋根Ｍを基準に考え巾６ｍを１ブロックとしヒーターを配しアルミ板で被う。古い雪止めを取り払い軒先３０〜６０ｃｍに雪止めのストッパー穴２４を設ける。一般家庭の契約電力を考え１ブロックずつ数回に分けて雪下ろしをする。
【００２７】
１１月に入ったらゴムパッキン２８を外しスプリング１４を取り付け、ストッパー本体１を屋根Ｍに出し、引き下げロープ（図示せず）を地面のアンカーボルト１６に結び、電源コンセントに差し込みスイッチボックス２０のスイッチを入れヒーターが入るかを調べておく。積雪の心配のなくなった春にストッパー本体１を引き上げていたスプリング１４を外しストッパー本体１を引っ込ませた後、屋根Ｍ上からストッパー穴ガイド２６にはめ込み式ゴムパッキン２８で栓をする。ゴムパッキン２８は春まで箱に入れ置き場所を忘れないようにする。
【００２８】
本考案の雪下ろし機は、前記ストッパー穴２４から雪止めのストッパー本体１を出し、雪下ろしの時にストッパー本体１を引き下げ、雪を滑り落とす。すなわちゴムパッキン２８を外しスプリング１４を取り付け、ストッパー本体１を屋根Ｍに出し、前記ストッパー本体１の中のヒーター線３で回りの氷を融かし２本のロープを用い１ブロック１４枚のストッパー本体１を同時に引き下げ、引き下げロープ（図示せず）を地面のアンカーボルト１６に結び、１回の作業を終わる。１２ｍの切妻屋根では４回の作業で総ての雪下ろしが終了する。雪下ろしは最高気温が０℃以上の時に行うことがベストである。
【符号の説明】
【００２９】
１  ストッパー本体
２  補強材
３  ヒーター線
４  取付穴
５  ヒーター用穴
６  ストッパーアーム
７  取付部分
８  ねじ穴
９  電線用穴
１０  アルミ棒
１１  可動域限定体
１２  ステンレス製アーム
１３  カギ
１４  スプリング
１５  ３点可動垂直維持体
１６  アンカーボルト
１７  穴
１８  リング
１９  ミニロープ
２０  スイッチボックス
２１  ストッパーガイド
２２  ゴムパッキン
２３  ノミ
２４  ストッパー穴
２５  角度調整用ゴム敷き
２６  ストッパーガイド
２７  穴
２８  ゴムパッキン
【図１】
0003178609.tif 000003
【図２】
0003178609.tif 000004
【図３】
0003178609.tif 000005
【図４】
0003178609.tif 000006
【図５】
0003178609.tif 000007
【図６】
0003178609.tif 000008
【図７】
0003178609.tif 000009
【図８】
0003178609.tif 000010
【図９】
0003178609.tif 000011
【図１０】
0003178609.tif 000012
【図１１】
0003178609.tif 000013
【図１２】
0003178609.tif 000014